(57)【特許請求の範囲】
【請求項１】
印刷に使用された使用済みのマスタを回収する装置において、
厚さが同じでサイズの異なる使用済みマスタを収容可能な排版ボックスと、
該排版ボックス内に収容された厚さが同じでサイズの異なる使用済みマスタを圧縮する圧縮板と、
該圧縮板に所定の圧縮力を作用させつつ、上記排版ボックス内で変位させる圧縮板変位手段と、
該圧縮板変位手段による上記圧縮板の動作を制御する制御手段とを有し、
排版ボックスにおける厚さが同じでサイズの異なる使用済みマスタのサイズに関する情報を内訳情報とし、
厚さが同じでサイズの異なる使用済みマスタの内訳情報に応じて、上記排版ボックス内に厚さが同じでサイズの異なる過剰の使用済みマスタが詰め込まれないように、圧縮力が所定の値を超えない圧縮板の、最大変位量を異ならせるように、上記圧縮板の動作が制御されることを特徴とする排版回収装置。
【請求項２】
印刷に使用された使用済みのマスタを回収する装置において、
厚さが同じでサイズの異なる使用済みマスタを収容可能な排版ボックスと、
該排版ボックス内に収容された使用済みマスタを圧縮する圧縮板と、
該圧縮板に所定の圧縮力を作用させつつ、上記排版ボックス内で変位させる圧縮板変位手段と、
該圧縮板変位手段による上記圧縮板の動作を制御する制御手段とを有し、
排版ボックスにおける厚さが同じでサイズの異なる使用済みマスタのサイズに関する情報を内訳情報とし、
厚さが同じでサイズの異なる使用済みマスタの内訳情報に応じて、上記排版ボックス内に過剰の厚さが同じでサイズの異なる使用済みマスタが詰め込まれないように、厚さが同じでサイズの異なる使用済みマスタのサイズに応じて、圧縮板に作用させる最大圧縮力を異ならせるように、上記圧縮板の動作が制御されることを特徴とする排版回収装置。
【請求項３】
請求項１または２記載の排版回収装置において、
圧縮板の変位が、該圧縮板の１側縁部に沿う回転軸の回りの回転により行われることを特徴とする排版回収装置。
【発明の詳細な説明】
【０００１】
【発明の属する技術分野】
この発明は排版回収装置に関する。
【０００２】
【従来の技術】
孔版印刷装置やオフセット印刷装置で印刷に用いられるマスタは、使用後「使用済みマスタ」として廃棄される。使用済みマスタは通常、１枚ずつ廃棄されるのではなく、排版回収装置の回収容器である「排版ボックス」にある程度の枚数が収容され、回収容器内が満杯になると、排版ボックスが取り出され、回収された使用済みマスタ（即ち「排版」）が廃棄される。
排版ボックスから使用済みマスタを排出する作業は、簡単であることが好ましいことは当然であるが、排版ボックスを印刷装置本体等から取外して行うので、手作業で行わねばならない。排版ボックス内が使用済みマスタで満杯になったことはセンサにより検知されるが、同じ満杯状態でも、排版ボックスからの排版の排出が楽に行われる場合と、容易に排出できず、排出に一苦労するような場合がある。
使用済みマスタを排版ボックスから容易に排出できない場合を調べてみると、排版ボックス内に使用済みマスタが「過剰に詰め込まれた状態」となっていることがわかった。
【０００３】
【発明が解決しようとする課題】
この発明は、使用済みマスタの排版ボックスからの排出を容易にするために、排版ボックスである排版ボックス内に、過剰の使用済みマスタが詰め込まれないような排版回収装置の実現を課題とする。
【０００４】
【課題を解決するための手段】
この発明の排版回収装置は「印刷に使用された使用済みのマスタを回収する装置」である。上記印刷は「マスタを用いる印刷形態のもの」であり、例えば、孔版印刷やオフセット印刷等であり、従って、この発明の排版回収装置は、孔版印刷装置やオフセット印刷装置に適用できる。また排版回収装置は、印刷装置の内部に設けられても良いし、印刷装置本体に外付けされるようにしてもよい。
この発明の排版回収装置は、排版ボックスと、圧縮板と、圧縮板変位手段と、制御手段とを有する。
「排版ボックス」は、回収容器として、厚さが同じでサイズの異なる使用済みマスタを収容可能である。
「圧縮板」は、排版ボックス内に収容された厚さが同じでサイズの異なる使用済みマスタを圧縮する。
「圧縮板変位手段」は、圧縮板に所定の圧縮力を作用させつつ、排版ボックス内で変位させる。
「制御手段」は、圧縮板変位手段による圧縮板の動作を制御する手段であり、マイクロコンピュータ等として構成できる。
制御手段による「圧縮板の動作の制御」は、排版ボックスにおける厚さが同じでサイズの異なる使用済みマスタの内訳情報に応じて、排版ボックス内に過剰の使用済みマスタが詰め込まれないように行われる。
【０００５】
印刷装置に用いられるマスタは、そのサイズや厚み、材料等に、色々な種類がある。例えば、使用済みマスタが「薄いマスタ」の場合、「厚いマスタ」に比して、圧縮板による圧縮力を受けたとき、圧縮され易い。
また、排版ボックス内のスペースは大きさが定まっているから、上記スペース内が、Ａ４サイズの使用済みマスタで一杯になる場合と、Ａ３サイズの使用済みマスタで一杯になる場合とでは、収容枚数に差がある。
１例を挙げると、Ａ３サイズの使用済みマスタが７２枚で、排版ボックスが満杯になる場合、Ａ４サイズの使用済みマスタでは１３６枚で満杯になる。このとき、排版ボックスを満たす「７２枚のＡ３サイズの使用済みマスタ」は、およそ２．３ｋｇの排出力で排版ボックスから排出できるのに対し、「１３６枚のＡ４サイズの使用済みマスタ」を排出させるには、およそ６．６ｋｇという大きな排出力を必要とする。この違いがどこから来るかというと、排版ボックスを満杯にするＡ４サイズの使用済みマスタは、Ａ３サイズの使用済みマスタの場合に比して、排版ボックス内に多量に詰め込まれているのである。
即ち、Ａ４サイズの使用済みマスタが排版ボックスを満杯にするまでには、Ａ３サイズの使用済みマスタが満杯になる場合に比して、圧縮板による圧縮力の作用を受ける回数が多い。このため、Ａ４サイズの使用済みマスタは、圧縮力の作用を繰返し受ける間に次第に圧縮が進み、排版ボックスが満杯になるまでに、過剰の使用済みマスタが「ぎゅうぎゅう詰め」の状態に詰め込まれてしまうわけである。
【０００６】
請求項１記載の排版回収装置において「使用済みマスタの内訳情報」は、使用済みマスタのサイズに関する情報に厚さに関する情報を加えることもできる。
「使用済みマスタの内訳情報」は、排版ボックスが満杯になるまでの間に、使用済みマスタが「圧縮され易いかどうか」の目安となる情報である。
例えば上記「薄いマスタ」は容易に圧縮されるから、ある時点における排版ボックス内に存在する「使用済みマスタの内訳」で、薄いマスタの数が多ければ、このとき排版ボックス内にある使用済みマスタは容易に圧縮されやすい。
従って、このような内訳の使用済みマスタに、強い圧縮力を作用させたり、あるいは圧縮力を繰返し作用させれば、上述の「ぎゅうぎゅう詰め」の状態になり易い。従って、このような場合は、圧縮板による圧縮の回数を減らしたり、圧縮力そのものを小さく設定するように「圧縮板の動作を制御」することにより、使用済みマスタの排版ボックス内への過剰な詰め込みを防止することができる。
なお、上記内訳情報としては「使用済みマスタの材質」等に関連した情報も用いることができる。
使用済みマスタの内訳情報は「排版ボックスにおける」ものであり、従って、排版ボックス内に収容されている使用済みマスタに関するもの（例えば、排版ボックス内の薄いマスタの枚数）であってもよいが、これとは別に「排版ボックスに収容されることになる使用済みマスタ」のサイズや厚さが予め知られる場合、例えば、当分の間、Ａ４サイズのマスタが使用されることが分かっている場合等には、このような予め知られた情報を「排版ボックスにおける使用済みマスタの内訳情報」とすることができる。
上記請求項１記載の排版回収装置において「使用済みマスタの内訳情報が、排版ボックスへの使用済みマスタの収容に応じて、制御手段の記憶部に記憶される」ようにすることができる。例えば、上記のように、当分の間、Ａ４サイズのマスタが使用されることが分かっており、この予め知られた情報を「排版ボックスにおける使用済みマスタの内訳情報」とする場合には、これを、例えば印刷装置本体の操作パネルからの入力で上記記憶部に記憶させることができる。
また、使用されるマスタの厚さやサイズが、その時々で異なる場合、マスタのサイズや厚さを検知したり入力したりすることを、マスタが交換されるたびに行い、記憶部内に「サイズ・厚さで種分けされたマスタ枚数」を、排版ボックス内の内訳情報として記憶更新させていくようにすることができる。
【０００７】
即ち、請求項１記載の排版回収装置では、「圧縮板の動作の制御」を、排版ボックスにおける使用済みマスタのサイズに関する情報を内訳情報として「厚さが同じでサイズの異なる使用済みマスタの内訳情報に応じて、圧縮力が所定の値を超えない圧縮板の、最大変位量を異ならせる」ように行う。
請求項２記載の排版回収装置では、「圧縮板の動作の制御」を、「厚さが同じでサイズの異なる使用済みマスタの内訳情報に応じて、圧縮板に作用させる最大圧縮力を使用済マスタのサイズに応じて、異ならせる」ように行う。
請求項１の場合には、排版ボックスが満杯になるまでの間に「厚さが同じでサイズの異なる使用済みマスタに作用される圧縮力の作用回数」が変化することになる。
圧縮板の変位は、例えば平行移動的な変位であってもよいが、請求項３記載のように「圧縮板の１側縁部に沿う回転軸の回りの回転」による変位でも良い。即ち、圧縮板の変位として、平行移動的な変位や回転変位が可能である。
【０００８】
【発明の実施の形態】
以下、発明の実施の形態を説明する。
先ず、図４と図５を参照して、以下の実施の形態において、この発明を適用する排版回収装置の排版回収につき、あらましを説明する。
図４は、排版回収装置の機械的な要部の横断面を示している。排版ボックス１０は、図に示すような断面形状を図面に直交する方向（以下、ボックス長手方向という）に一様に有し、筒状に形成されている。押出し部材１２は板状で、図示の如き形状を有し、排版ボックス１０内において、ボックス長手方向の最奥部に設けられている。排版ボックス１０には、ボックス長手方向にわたって溝１０ａが形成され、押出し部材１２の一部は、溝１０ａを通して排版ボックス１０の外に突出し、その先端部に握り１２Ａを形成されている。この握り１２Ａをつかんで、溝１０ａに沿って移動させることにより、押出し部材１２を、ボックス長手方向に移動させることができ、この移動により排版ボックス１０内に溜った使用済みマスタを、排版ボックス１０外に排出できる。勿論、このとき、排版ボックス１０のボックス長手方向の、押出し側端部は開放される。
排版ボックス１０の、符号１０Ａで示す棚状部分の上部は開口部１０Ｂとなっている。圧縮板１４は、ボックス長手方向に設けられた回転軸１４ａに、長手方向側縁部を固定され、回転軸１４ａの回りに揺動可能となっている。圧縮板１４の「基準位置」は図４に示すように、棚状部分１０Ａの上位の位置である。
印刷装置から使用済みマスタＭを回収するとき、圧縮板１４は、図４に示す基準位置にあり、使用済みマスタＭは、回収ローラ２０により排版ボックス１０の開口部１０Ｂから送りこまれ、圧縮板１４上に排出される。このように使用済みマスタＭが送りこまれると、圧縮板１４は、図１の態位から回転し、受け入れた使用済みマスタＭを排版ボックス１０内に収容する。
【０００９】
圧縮板１４の回転角（基準位置から反時計回りの回転角）は当初、略２７０度に設定されている。従って、使用済みマスタの収容開始当初、圧縮板１４は、図５（ａ）に示すように、基準位置から反時計回りに略２７０度回転し、使用済みマスタＭは、排版ボックス１０の部分１０Ａ，１０Ｃ，１０Ｄで囲まれた、最奥部１００に収容されることになる。
使用済みマスタＭの収容が繰り返されるに従い、上記最奥部１００に次第に使用済みマスタＭが蓄積される。そして、最奥部１００が一杯になると、新たな使用マスタが収容されるとき、蓄積された使用済みマスタＭに対し圧縮板１４により圧縮力が作用するようになる。
圧縮板１４の回転動作は、図示されないステッピングモータにより行われるが、ステッピングモータから圧縮板１４の回転軸１４ａに伝達されるトルクは、トルクリミッタにより制限されており、トルクが設定された臨界値を越えると、回転軸１４ａが駆動側に対して滑るようになっている。
従って、圧縮板１４が「蓄積された使用済みマスタ」に作用させる圧縮力は、所定の圧縮力（トルクリミッタに設定されたよるトルクの臨界値で定まる）を越えることがない。圧縮力が上記所定の値になったことは、圧縮板の回転軸１４ａの滑りにより検出され、この状態になると、制御部は「蓄積された使用済みマスタが十分に圧縮された」と判断して、圧縮板１４の回転角を当初の略２７０度から所定角（例えば３０度）だけ小さく設定する。従って、次回からは、圧縮板１４の回転角は２４０度になる。
圧縮板１４による圧縮力が所定の値に達するたびに、上記と同様のことが繰り返され、排版ボックス１０内の、使用済みマスタＭの蓄積量が次第に増える。圧縮板１４の回転角は、最後に最小の回転角として例えば９０度を設定される。そしてこの状態で圧縮力が所定の大きさになると、図５（ｂ）に示すように、排版ボックス１０内は、使用済みマスタＭにより「満杯状態」となるので、この状態をもって「排版ボックス内が満杯になったので、回収された使用済みマスタを廃棄すべき旨の表示」が、例えば、印刷装置の操作パネルに表示される。
この表示に基づき、ユーザは排版ボックス１０を印刷装置等から取外し、前述した押出し出し部材１２Ａ（図４参照）の操作により、回収した使用済みマスタを排版ボックス１０から排出して廃棄する。
ところで、従来、圧縮板１４の当初の回転角（前記略２７０度）と最小回転角（前記略９０度）は、一義的に定められており、このため、排版ボックス内に収容される使用済みマスタが、例えば、Ａ３サイズとＡ４サイズのものとで、排版ボックス内への詰め込み状態に差が生じ、Ａ４サイズの使用済みマスタは「詰まり過ぎ」の状態となって、排版ボックスからの排出に苦労するという問題があったのである。なお、このタイプの排版ボックスでは、特に、図５（ｂ）に示した最奥部１００の部分に詰め込まれた使用済みマスタの圧縮が著しく、この部分で詰め込みの過剰が生じ易い。
【００１０】
図１には、この発明を、図４に即して説明した排版ボックスを用いる排版回収装置に適用した実施の１形態を要部のみ示す。煩雑を避けるため、混同の虞れが無いと思われるものに就いては、図４におけるのと同一の符号を用いた。
図１に示す実施の形態では、図示されない印刷装置は「孔版印刷装置」で、排版回収装置は印刷装置内に設けられている。この孔版印刷装置は、マスタを巻き付ける版胴ドラムの交換により、使用マスタのサイズを、Ａ３サイズとＡ４サイズに切り替えることができるようになっている。版胴ドラムの交換が行われると「使用されるマスタのサイズ」が一義的に定まる。このことは、排版回収装置により回収される使用済みマスタのサイズが定まることを意味する。
制御部３０はマイクロコンピュータにより構成されている。制御部３０は「孔版印刷装置の制御部」が兼ることができる。
版胴ドラムの交換に伴い、上記の如く使用済みマスタのサイズが定まり、このサイズ情報は「使用済みマスタ情報」として、制御部３０に取り込まれる。制御部３０は取り込んだサイズ情報を記憶し、この実施の形態においては、このサイズ情報を「排版ボックスにおける使用済みマスタの内訳情報」として、排版回収装置の圧縮板の動作の制御に用いる。
圧縮板１４は機械的な駆動部３４により回転駆動される。回転駆動の動力は、トルクリミッタ３２を介してステッピングモータ３１の回転により与えられる。即ち、ステッピングモータ３１の回転が、トルクリミッタ３２を介して駆動部３４へ伝えられ、圧縮板１４が正逆回転されるのである。
【００１１】
この実施の形態では、使用済みマスタのサイズ情報を「排版ボックスにおける使用済みマスタの内訳情報」として用い、圧縮板１４の最大回転角（排版ボックスが空の状態のときに、最初に設定される回転角、前述の説明における略２７０度）を使用済みマスタのサイズにより切り替えるのである。
即ち、図１において、角：θ１はＡ３サイズの使用済みマスタの回収のときの最大回転角、角：θ２はＡ４サイズの使用済みマスタの回収のときの最大回転角、角：θ３は最小回転角を示している。
圧縮板１４による圧縮力が、トルクリミッタ３２で設定された所定の値以上になったか否かは、適宜の検出器３３で検出され、その結果は制御部３０に取り込まれる。制御部３０は、取り込んだ情報に基づき、圧縮板１４の回転角を、例えば３０度ずつ、逐次減少させる。
Ａ３サイズの使用済みマスタが排版ボックス１０を満杯にする間に、収容された使用済みマスタが圧縮力の作用を受ける回数は、角：θ１−θ３に比例する。また、Ａ４サイズの使用済みマスタが排版ボックス１０を満杯にする間に、収容された使用済みマスタが圧縮力の作用を受ける回数は、角：θ２−θ３に比例する。前述したように、Ａ３サイズの使用済みマスタはサイズが大きいので、比較的小数枚で排版ボックスを満杯にするので、圧縮力の作用を受ける回数は少なく、従って、圧縮の程度も少なくて「ぎゅうぎゅう詰め」の状態には成り難い。一方、Ａ４サイズの使用済みマスタは、サイズが小さいため、排版ボックスを満杯にするのに時間がかかり、圧縮力の作用を受ける回数も多く、その結果、使用済みマスタの圧縮が進み、排版ボックスが満杯になるまでに、多数の使用済みマスタが「ぎゅうぎゅう詰め」に詰め込まれることになりやすい。
この実施の形態のように、使用済みマスタのサイズ情報（排版ボックスにおける使用済みマスタの内分情報）に基づき、圧縮板１４の最大回転角を異ならせ、θ２＜θ１とすることにより、収容されたＳ４サイズの使用済みマスタに圧縮力が作用する回数を減少させることにより、排版ボックス内に過剰の使用済みマスタが詰め込まれないようできる。角：θ１，θ２は、実験的に適当な大きさを定めるのである。
【００１２】
即ち、図１に実施の形態を示す排版回収装置は、印刷に使用された使用済みのマスタを回収する装置であって、使用済みマスタを収容する排版ボックス１０と、排版ボックス内に収容された使用済みマスタを圧縮する圧縮板１４と、圧縮板１４に所定の圧縮力を作用させつつ、排版ボックス内で変位させる圧縮板変位手段３１，３２，３３，３４と、圧縮板変位手段による圧縮板１４の動作を制御する制御手段３０とを有し、排版ボックスにおける使用済みマスタの内訳情報に応じて、圧縮板１０の動作を制御し、排版ボックス内に過剰の使用済みマスタが詰め込まれないようにした排版回収装置である。
「使用済みマスタの内訳情報」は、使用済みマスタのサイズに関する情報であり、圧縮板１４の変位が、圧縮板の１側縁部に沿う回転軸１４ａの回りの回転により行われ、使用済みマスタの内訳情報に応じて、圧縮板１４の最大変位量（上記「最大回転角」）を異ならせるように、圧縮板１４の動作が制御される。
【００１３】
図２に実施の別形態を示す。排版ボックスおよび圧縮板に関しては、図１の実施の形態と同様である。印刷装置は孔版印刷装置で、版胴ドラムの交換によりマスタのサイズをＡ３サイズとＡ４サイズに切り替えることができる。
この実施の形態では、制御部３０は「厚さが同じでサイズの異なる使用済みマスタの内訳情報（使用済みマスタ情報として与えられる）」に応じて、トルクリミッタ３２における「最大伝達トルク」を変化させる。これにより、圧縮板１４により、厚さが同じでサイズの異なる使用済みマスタに作用させる最大圧縮力が変化されることになる。即ち、圧縮板の動作は「圧縮板に作用させる最大圧縮力を異ならせる」ように行われる。
【００１４】
使用済みマスタがＡ４サイズのときには、Ａ３サイズの場合に比して上記最大伝達トルクを小さく設定すれば、圧縮力の作用する回数は多くとも、１回に作用される圧縮力が小さくなることにより、Ａ４サイズの使用済みマスタの「過剰な圧縮」を防止し、排版ボックス内への過剰な詰め込みを防止することができる。上記最大伝達トルクは、実験的に適当な値を設定すればよい。
【００１５】
上には、使用済みマスタがＡ３サイズとＡ４サイズの２種で、使用済みマスタの内訳情報が予め与えられる場合を説明した。
もう少し一般的な場合として、印刷装置に使用されるマスタの厚さやサイズが、その時々で異なる場合を簡単に説明する。
例えば、使用されるマスタがＡ３サイズとＡ４サイズで、それぞれに厚いものと薄いものとがある場合を想定してみる。これらのマスタは、ユーザが適宜に選択使用できるが、ここでは、使用するマスタに関する情報（マスタのサイズおよび厚薄）をユーザが操作パネル等から入力するものとする。
入力された情報は、制御部に蓄えられる。例えば、ある時点において、制御部の記憶部に、排版ボックス内に収容された使用済みマスタの内訳情報として「Ａ４・厚：３枚、Ａ４・薄：１０枚、Ａ３・厚：２枚、Ａ３・薄：４枚」という情報が蓄積されているものとすると、このような内訳情報に従えば、排版ボックス内に収容されている使用済みマスタには、相対的に圧縮されやすいものが相対的に多く、収容されている使用済みマスタは、平均的に見て「圧縮されやすい」ということができる。内訳情報に応じ、排版ボックス内の使用済みマスタが全体として「圧縮されやすいか、圧縮されにくいか」が把握されるので、このような内訳情報に応じて、例えば、最大圧縮力を最適化することにより、排版ボックス内の使用済みマスタの内訳に拘らず、排版ボックス内の過剰な詰め込みが生じないようにすることができる。
【００１６】
【実施例】
以下、具体的な実施例として、図１に即して説明した例（排版ボックス内の内訳情報に従い、圧縮板の最大回転角を異ならせる場合）をあげる。
図１に示す如き排版ボックスを用い、圧縮板１４の最大回転角を２７０度、最小回転角を９０度としたところ、Ａ３サイズの使用済みマスタは、７２枚で排版ボックスを満杯にした。この条件では、Ａ４サイズの使用済みマスタは１３６枚で排版ボックスを満杯にした。
Ａ３サイズのマスタの長さは５２５ｍｍ、Ａ４サイズのマスタの長さは３３０ｍｍであるので、排版ボックスを満杯にした使用済みマスタは、Ａ３サイズでは３７．８ｍ、Ａ４サイズでは４４．８８ｍであり、Ａ４サイズの使用済みマスタは、明らかに過剰に詰め込まれている。このため、排版ボックスから、押出し部材で使用済みマスタを排出するのに要する排出力は、Ａ３サイズの２．３ｋｇに対して、Ａ４サイズでは６．６ｋｇと、倍以上の排出力が必要となる。
そこで、圧縮板１４の最大回転角を、Ａ３サイズの使用済みマスタに対しては２７０度に保ちつつ、Ａ４サイズの使用済みマスタに対しては２３０度前後に設定した。トルクリミッタに於ける最大伝達トルクは、上記の場合と同じである。
Ａ４サイズの使用済みマスタとして１１４版と１１６版を用いた所、排版ボックスを満杯にする使用済みマスタ量は、１１４版が３７．６２ｍ、１１６版が３８．２８ｍで、排出力は、１１４版に対して１．７ｋｇ、１１６版に対して２．３ｋｇとなり、Ａ３サイズの使用済みマスタの場合と同程度に軽減された。
【００１７】
【発明の効果】
以上に説明したように、この発明によれば新規な排版回収装置を実現できる。この発明の排版回収装置は、排版ボックス内に回収される使用済みマスタの種類やサイズによらず、詰め込み過剰が軽減されて、排版ボックスから排出する廃棄作業が容易になる。
【図面の簡単な説明】
【図１】この発明の実施の１形態を説明するための図である。
【図２】この発明の実施の別形態を説明するための図である。
【図３】図２の実施の形態におけるトルクリミッタの１例を示す図である。
【図４】排版回収装置の排版ボックスを説明するための図である。
【図５】排版ボックスへの使用済みマスタの収容を説明するための図である。
【符号の説明】
１０        排版ボックス
１２        押出し部材
１４        圧縮板
【図１】
0004495790.tif 000002
【図２】
0004495790.tif 000003
【図３】
0004495790.tif 000004
【図４】
0004495790.tif 000005
【図５】
0004495790.tif 000006